(57)【要約】【課題】  蒲団をかける必要がなく、体の内側から暖まる遠赤外線を利用したセラミックヒータ付テーブルを提供する。【解決手段】  四本の脚部材によって支えられる枠板と、前記枠板の中央部に開穿された取付け部と、前記取付け部に着脱自在に上部から載置され遠赤外線輻射機能を持つ平板状セラミックヒータ部と、を含むようにした。【選択図】図１
2013221638.tif 000002
【特許請求の範囲】
【請求項１】
四本の脚部材によって支えられる枠板と、
前記枠板の中央部に開穿された取付け部と、
前記取付け部に着脱自在に上部から載置され遠赤外線輻射機能を持つ平板状セラミックヒータ部と、
を含むことを特徴とするセラミックヒータ付テーブル。
【請求項２】
前記平板状セラミックヒータ部が、
セラミックヒータパネル体と、
前記セラミックヒータパネル体が輻射熱を放射する側の前面に設けられた金属製のハニカムボードと、
前記セラミックヒータパネル体の周縁に設けられたＬＥＤと、
を含むことを特徴とする請求項１記載のセラミックヒータ付テーブル。
【請求項３】
前記取付け部が、矩形状開口部と、前記矩形状開口部の内周面に設けられ前記平板状セラミックヒータ部の脱落を防止する鍔部と、を含み、
前記鍔部が、前記矩形状開口部の少なくとも３辺に設けられてなることを特徴とする請求項１又は２記載のセラミックヒータ付テーブル。
【請求項４】
前記矩形状開口部の内周面の少なくとも一部に、前記平板状セラミックヒータ部を取り外すための切り欠き部が設けられてなることを特徴とする請求項３記載のセラミックヒータ付テーブル。
【請求項５】
前記平板状セラミックヒータ部の周縁にＬＥＤが配置されてなり、前記平板状セラミックヒータ部の電源と連動して点灯するようにされてなることを特徴とする請求項１〜４いずれか１項記載のセラミックヒータ付テーブル。
【発明の詳細な説明】
【技術分野】
【０００１】
本発明は、蒲団を必要とせずに電気炬燵のように使えるセラミックヒータ付テーブルに関する。
【背景技術】
【０００２】
従来、巻回したニクロム線などに通電させて発熱させ、赤外線で暖めるタイプの電気炬燵が広く知られている。このような従来の電気炬燵としては、例えば特許文献１に記載のものがある。
【０００３】
かかる従来の電気炬燵では、蒲団が必須である。昨今では、テーブルに発熱体のついた炬燵テーブルもあり、椅子に腰掛けたままテーブルの下に膝を入れて暖まることができるタイプの炬燵も知られているが、やはり、蒲団が必須である。
【０００４】
上記した従来の電気炬燵では、蒲団を掛けるとなると嵩張るし、座る度に蒲団をめくったりしないといけないという問題があった。そして、従来の電気炬燵では、巻回したニクロム線などに通電させて発熱させるタイプであるために、皮膚の表面ばかりが暖かくなり、蒲団で覆われていないと肌寒く感じるという問題があった。
【０００５】
椅子に腰掛けたまま使う炬燵テーブルのタイプでは、椅子の脚部までは蒲団がかからないため、椅子の脚部の隙間に閉塞部材を入れるなどして熱気が逃げるのを防ぐようにしたものもある（例えば特許文献２）。
【０００６】
しかしながら、上記したような椅子では、家庭にある既存の椅子を使うことができないという問題があった。
【先行技術文献】
【特許文献】
【０００７】
【特許文献１】実開平１−１０９７０２号公報
【特許文献２】特開２００９−１１８９０５号公報
【発明の概要】
【発明が解決しようとする課題】
【０００８】
本発明は、上記従来技術の問題点に鑑みてなされたもので、蒲団をかける必要がなく、体の内側から暖まる遠赤外線を利用したセラミックヒータ付テーブルを提供することを目的とする。
【課題を解決するための手段】
【０００９】
上記課題を解決するために、本発明のセラミックヒータ付テーブルは、四本の脚部材によって支えられる枠板と、前記枠板の中央部に開穿された取付け部と、前記取付け部に着脱自在に上部から載置され遠赤外線輻射機能を持つ平板状セラミックヒータ部と、を含むことを特徴とする。
【００１０】
前記平板状セラミックヒータ部が遠赤外線輻射機能を持っているため、遠赤外線の輻射熱により、体の内側からぽかぽかと暖かくなる。そのため、蒲団をかける必要がないという利点がある。
【００１１】
また、前記平板状セラミックヒータ部が、セラミックヒータパネル体と、前記セラミックヒータパネル体が輻射熱を放射する側の前面に設けられた金属製のハニカムボードと、前記セラミックヒータパネル体の周縁に設けられたＬＥＤ（発光ダイオード）と、を含むのが好ましい。
【００１２】
このようにセラミックヒータパネル体の前面にハニカムボードを設置することで、遠赤外線の輻射熱が、セラミックヒータ付テーブルの真下に効率よく届くという利点がある。また、前記セラミックヒータパネル体の周縁にＬＥＤを設けることで、前記ハニカムボードが光るため、セラミックヒータ付テーブルの装飾性が向上するという利点もある。
【００１３】
さらに、前記取付け部が、矩形状開口部と、前記矩形状開口部の内周面に設けられ前記平板状セラミックヒータ部の脱落を防止する鍔部と、を含み、前記鍔部が、前記矩形状開口部の少なくとも３辺に設けられてなるのが好適である。
【００１４】
前記矩形状開口部の内周面の少なくとも一部に、前記平板状セラミックヒータ部を取り外すための切り欠き部が設けられてなるのが好適である。
【００１５】
前記平板状セラミックヒータ部の周縁にＬＥＤが配置されてなり、前記平板状セラミックヒータ部の電源と連動して点灯するようにされてなるのがさらに好ましい。
【発明の効果】
【００１６】
本発明のセラミックヒータ付テーブルによれば、蒲団をかける必要がなく、体の内側から暖まる遠赤外線を利用したセラミックヒータ付テーブルを提供することができるという著大な効果を奏する。
【図面の簡単な説明】
【００１７】
【図１】本発明の一つの実施の形態を示す一部分解斜視図である。
【図２】図１の状態から平板状セラミックヒータ部を取付け部に着脱自在に上部から載置した状態を示す斜視図であり、（ａ）が天板を載せた状態、（ｂ）が蒲団と天板を載せた状態である。
【図３】平板状セラミックヒータ部の斜視図である。
【図４】平板状セラミックヒータ部の要部拡大斜視図である。
【図５】平板状セラミックヒータ部の一部拡大模式図である。
【発明を実施するための形態】
【００１８】
以下に本発明の実施の形態を説明するが、これら実施の形態は例示的に示されるもので、本発明の技術思想から逸脱しない限り種々の変形が可能なことはいうまでもない。図示において、同一部材は同一符号であらわされる。
【００１９】
図において、符号１０は本発明のセラミックヒータ付テーブルの一つの実施の形態を示す。
【００２０】
セラミックヒータ付テーブル１０は、図１によく示される如く、四本の脚部材１２ａ，１２ｂ，１２ｃ，１２ｄによって支えられる枠板１４と、前記枠板１４の中央部に開穿された取付け部１６と、前記取付け部１６に着脱自在に上部から載置され遠赤外線輻射機能を持つ平板状セラミックヒータ部１８と、を含む構成とされている。
【００２１】
図示例では、平板状セラミックヒータ部１８を取付け部１６に上部から載置しただけの例を示したが、着脱自在に上部から載置される限り、必要に応じて、例えば、螺子などで平板状セラミックヒータ部１８を取付け部１６に固定してもよい。
【００２２】
セラミックヒータ付テーブル１０は、蒲団をかける必要がなく、図２（ａ）に示される如く、天板２０を載せるだけで使用することができる。また、セラミックヒータを使用しているため、従来のようにファンを使って温風を下方に送ったりする必要もない。
【００２３】
但し、セラミックヒータ付テーブル１０は、蒲団をかける必要がないが、気温の特に低い冬場などでは、図２（ｂ）に示される如く、蒲団２２を掛けて使用してもよいことは勿論である。
【００２４】
また、図示例では、図１によく示される如く、前記取付け部１６が、矩形状開口部２４と、前記矩形状開口部２４の内周面に設けられ前記平板状セラミックヒータ部１８の脱落を防止する鍔部２６と、を含み、前記鍔部２６が、前記矩形状開口部２４の少なくとも３辺に設けられている。
【００２５】
そして、前記矩形状開口部２４の内周面の少なくとも一部に、前記平板状セラミックヒータ部１８を取り外すための切り欠き部２８が設けられている。
【００２６】
また、図３及び図４によく示される如く、前記平板状セラミックヒータ部１８が、セラミックヒータパネル体３０と、前記セラミックヒータパネル体３０が輻射熱を放射する側（セラミックヒータ付テーブル１０の下方向）の前記セラミックヒータパネル体３０の前面に設けられた金属製のハニカムボード３２と、前記セラミックヒータパネル体３０の周縁に設けられたＬＥＤ３４と、を含む構成とされている。金属製のハニカムボード３２としては、従来公知のものを使用すればよく、図示例ではアルミ製のハニカムボードを使用した例を示した。
【００２７】
セラミックヒータパネル体３０としては、通電により遠赤外線の輻射熱を放射するものであれば特別の限定はなく、公知のセラミックヒータパネル体が使用できる。例えば結晶化ガラスを用いて平板状の超耐熱ガラスとし、かかる超耐熱ガラスに伝導層として例えば黒鉛層を取付け、伝導層に通電可能に電極を接続したセラミックヒータパネル体などが使用可能である。
【００２８】
図示例では、前記平板状セラミックヒータ部１８は、セラミックヒータパネル体３０は、フレーム部材３６に固定されて、取付板３８へと取り付けられている。また、平板状セラミックヒータ部１８の電源については図示を省略する。なお、符号４０は、フレーム部材３６に固定された線条ガードフレームである。
【００２９】
そして、前記平板状セラミックヒータ部１８の周縁である、前記平板状セラミックヒータ部１８の長手方向両端部には、複数のＬＥＤ３４が配置されてなり、前記平板状セラミックヒータ部１８の電源と連動してＯＮ／ＯＦＦし、点灯するようにされている。
【００３０】
さらに、図示例では、ＬＥＤ３４は、図５によく示される如く、セラミックヒータパネル体３０の輻射熱が当たらない箇所、つまりセラミックヒータパネル体３０の輻射熱の影響を受けない箇所である前記セラミックヒータパネル体３０の周縁に設けられている。そして、ＬＥＤ３４の上方には、フレーム部材３６の端部屈曲屋根４２がせり出しており、かかる端部屈曲屋根４２によって反射されたＬＥＤ３４の光が、ハニカムボード３２に当たって、特に夜間には美しい電光飾となる。とりわけ、赤色や橙色などの暖色系のＬＥＤを用いることにより、見た目に暖かい色合いの電光飾となる。
【符号の説明】
【００３１】
１０：セラミックヒータ付テーブル、１２ａ，１２ｂ，１２ｃ，１２ｄ：脚部材、１４：枠板、１６：取付け部、１８：平板状セラミックヒータ部、２０：天板、２２：蒲団、２４：矩形状開口部、２６：鍔部、２８：切り欠き部、３０：セラミックヒータパネル体、３２：ハニカムボード、３４：ＬＥＤ、３６：フレーム部材、３８：取付板、４０：線条ガードフレーム、４２：端部屈曲屋根。
【図１】
2013221638.tif 000003
【図２】
2013221638.tif 000004
【図３】
2013221638.tif 000005
【図４】
2013221638.tif 000006
【図５】
2013221638.tif 000007